(57)【特許請求の範囲】
【請求項１】
空気吸い込み口と空気吹出し口とを有し、ファンにより空気を所定の方向に流通させる空気通路内に、オゾン発生器、集塵フィルタ、紫外線ランプ、光触媒フィルタ及びオゾン分解触媒を配置して、オゾン発生器により生成されるオゾンによる酸化作用と、紫外線ランプにより紫外線を光触媒フィルタに照射することによる光触媒作用とにより臭い成分を分解するとともに、未反応オゾンをオゾン分解触媒により分解して清浄空気を外部に放出する脱臭装置において、
脱臭装置に臭いセンサを設け、また、前記空気通路にはオゾン分解触媒を迂回する迂回路を設けて、臭いセンサの検出レベルが低い場合には、前記オゾン発生器を停止させるとともに、空気通路をオゾン分解触媒を通る通路から迂回路を通る通路に切り換えることを特徴とする脱臭装置の運転方法。
【請求項２】
空気吸い込み口と空気吹出し口とを有し、ファンにより空気を所定の方向に流通させる空気通路内に、オゾン発生器、集塵フィルタ、紫外線ランプ、光触媒フィルタ及びオゾン分解触媒を配置して、オゾン発生器により生成されるオゾンによる酸化作用と、紫外線ランプにより紫外線を光触媒フィルタに照射することによる光触媒作用とにより臭い成分を分解するとともに、未反応オゾンをオゾン分解触媒により分解して清浄空気を外部に放出する脱臭装置において、
前記ファンの風量を段階的に「強」、「中」、「弱」に切り換え可能に構成し、また、前記空気通路にはオゾン分解触媒を迂回する迂回路を設けて、ファンの風量「中」又は「弱」運転時には、前記オゾン発生器を停止させるとともに、空気通路をオゾン分解触媒を通る通路から迂回路を通る通路に切り換えることを特徴とする脱臭装置の運転方法。
【発明の詳細な説明】
【０００１】
【発明の属する技術分野】
本発明は、脱臭装置の運転方法に関するものである。
【０００２】
【従来の技術】
図４に示すように従来の脱臭装置ａは、プレフィルタｂを装着した空気吸い込み口ｃと、空気吹き出し口ｄとを有し、ファンにより空気を所定の方向に流通させる空気通路ｋ内に、上流側から順にオゾン発生器ｅ、集塵フィルタｆ、紫外線ランプｇ、光触媒フィルタｈ、オゾン分解触媒ｉを配設していた。そして、ファンｊを回転して吸い込まれる空気から、プレフィルタｂにより大きな埃を除去し、集塵フィルタｆにより細かい塵埃を除去する。そして、空気中に含まれる臭い成分は、オゾン発生器ｅにより生成されるオゾンガスによる酸化作用と、紫外線ランプｇにより紫外線を照射される光触媒フィルタｈの光触媒作用とにより分解して脱臭する。オゾン分解触媒ｉは、吹出される空気とともにオゾンガスが装置外へ排出されないように未反応のオゾンガスを分解する。これにより、清浄空気が外部に放出される。
【０００３】
【発明が解決しようとする課題】
しかしながら、上記のように光触媒とオゾンガスの併用により脱臭速度は早まるが、臭いの程度が低く悪臭がひどくない場合には、光触媒作用により臭い成分を分解して脱臭するだけで十分な場合がある。また、オゾン発生器及びオゾン分解触媒は、継続して使用すると寿命が短くなる。
本発明は、オゾン発生器及びオゾン分解触媒の寿命を延ばすことができ、効率的運転が可能な脱臭装置の運転方法を提供することを目的とする。
【０００４】
【課題を解決するための手段】
上記の目的を達成するための請求項１に記載の脱臭装置の運転方法は、空気吸い込み口と空気吹出し口とを有し、ファンにより空気を所定の方向に流通させる空気通路内に、オゾン発生器、集塵フィルタ、紫外線ランプ、光触媒フィルタ及びオゾン分解触媒を配置して、オゾン発生器により生成されるオゾンによる酸化作用と、紫外線ランプにより紫外線を光触媒フィルタに照射することによる光触媒作用とにより臭い成分を分解するとともに、未反応オゾンをオゾン分解触媒により分解して清浄空気を外部に放出する脱臭装置において、脱臭装置に臭いセンサを設け、また、前記空気通路にはオゾン分解触媒を迂回する迂回路を設けて、臭いセンサの検出レベルが低い場合には、前記オゾン発生器を停止させるとともに、空気通路をオゾン分解触媒を通る通路から迂回路を通る通路に切り換えることを特徴とする。
【０００５】
また、請求項２に記載の脱臭装置の運転方法は、空気吸い込み口と空気吹出し口とを有し、ファンにより空気を所定の方向に流通させる空気通路内に、オゾン発生器、集塵フィルタ、紫外線ランプ、光触媒フィルタ及びオゾン分解触媒を配置して、オゾン発生器により生成されるオゾンによる酸化作用と、紫外線ランプにより紫外線を光触媒フィルタに照射することによる光触媒作用とにより臭い成分を分解するとともに、未反応オゾンをオゾン分解触媒により分解して清浄空気を外部に放出する脱臭装置において、前記ファンの風量を段階的に「強」、「中」、「弱」に切り換え可能に構成し、また、前記空気通路にはオゾン分解触媒を迂回する迂回路を設けて、ファンの風量「中」又は「弱」運転時には、前記オゾン発生器を停止させるとともに、空気通路をオゾン分解触媒を通る通路から迂回路を通る通路に切り換えることを特徴とする。
【０００６】
【作用及び発明の効果】
請求項１に記載の脱臭装置の運転方法によれば、悪臭が強くなく臭いセンサの検出レベルが低い場合は、オゾン発生器を停止させるとともに、空気通路をオゾン分解触媒を通る通路から迂回路を通る通路に切り換える。この場合、光触媒作用により臭い成分が分解されて脱臭された空気は、オゾン分解触媒を迂回して外部に吹き出す。オゾン発生器を停止し、オゾン分解触媒を不使用とすることにより、それらの寿命を延ばすことができる。また、オゾン発生器を停止させる分電気代を節約できる。
【０００７】
請求項２に記載の脱臭装置の運転方法によれば、ファンの風量「中」又は「弱」運転時には、前記オゾン発生器を停止させるとともに、空気通路をオゾン分解触媒を通る通路から迂回路を通る通路に切り換える。この場合、光触媒作用により臭い成分が分解されて脱臭された空気は、オゾン分解触媒を迂回して外部に吹き出す。オゾン発生器を停止し、オゾン分解触媒を不使用とすることにより、それらの寿命を延ばすことができる。また、オゾン発生器を停止させる分電気代を節約できる。さらに、オゾン分解触媒を迂回させるすることにより空気の圧損が減少し、所定風量を確保するために必要なファンの回転数を下げることができ、その分低騒音で運転できる。
【０００８】
【発明の実施の形態】
本発明の実施形態について添付図面を参照して説明する。図１は脱臭装置１の概略の断面図、図２は制御系の構成を示したブロック図、図３は脱臭装置１の作動を示したタイミングチャートである。脱臭装置１の筐体２の正面パネル３には、下方に空気吸い込み口４が形成され、上面に空気吹き出し口５が形成されている。正面パネル３の上方には、スイッチパネル６が嵌め込まれている。そして、中央部に臭いセンサ７が設置されている。
【０００９】
筐体２内には、空気吸い込み口４と空気吹き出し口５とを連通させ、空気吹き出し口５側に配設されたファン１６により、空気吸い込み口４から空気吹き出し口５の方向へ空気を流通させる空気通路８が形成されている。空気通路８の空気吸い込み口４にはプレフィルタ９が装着されている。空気通路８内には、上流側から順にオゾン発生器１０、集塵フィルタ１１、紫外線ランプ１２、光触媒フィルタ１３、オゾン分解触媒１４が配設されている。
【００１０】
また、空気通路８には、光触媒フィルタ１３の上流位置に開口１７を設け、該開口１７と空気吹き出し口５を連通させて、オゾン分解触媒１４を迂回する迂回路１８が形成されている。さらに、空気通路８には、通路切り換え用アクチュエータ１９により回動し、開口１７を開くとともにオゾン分解触媒１４を遮蔽して、迂回路１８を通る通路と、オゾン分解触媒１４の遮蔽を解除するとともに開口１７を閉じて、オゾン分解触媒１４を通る通路とに通路を切り換え可能な通路切り換え板２０が配設されている。２１は、筐体２内に設置されたコントローラである。
【００１１】
図２に示すように上記コントローラ２１は、ＣＰＵ２２と該ＣＰＵ２２に接続された電源回路２３、ファン１６を回転させるファンモータ１５の駆動回路２４、通路切り換え用アクチュエータ１９の駆動回路２５、紫外線ランプ１２のインバータ２６を駆動する駆動回路２７及びオゾン発生器１０の発生回路２８から構成されている。また、ＣＰＵ２２には、スイッチパネル６に配置したスイッチ２９ａ，２９ｂ，２９ｃにより、ファン１６の風量を段階的に「強」、「中」、「弱」に切り換える切り換え信号及びスイッチ２９ｄにより脱臭装置１を「自動」運転に切り換える切り換え信号が、インターフェイス３０を介して入力される。さらに、ＣＰＵ２２には、臭いセンサ７の検出信号がインターフェイス３１を介して入力される。
【００１２】
上記構成の脱臭装置１の作動について、図３のタイミングチャートを参照して説明する。電源スイッチ（図示しない）が投入され脱臭装置１が起動すると、紫外線ランプ１２が点灯する。そして、スイッチパネル６のスイッチ２９ｄにより脱臭装置１が「自動」運転に切り換えられている場合には、ＣＰＵ２２に入力される臭いセンサ７の検出信号に基づいて、臭いの検出レベルが設定値以上か否かが判定される。
【００１３】
悪臭が強く臭いの検出レベルが設定値以上である場合は、オゾン発生器１０を作動させるとともに、ファン１６の風量が「強」になるようにファンモータ１５を駆動し、通路切り換え用アクチュエータ１９により通路切り換え板２０を回動して開口１７を閉じる。この状態で空気吸い込み口４から吸い込まれる空気は、プレフィルタ９により大きな埃が除去され、集塵フィルタ１１により細かい塵埃が除去される。
【００１４】
そして、紫外線ランプ１２により紫外線を照射される光触媒フィルタ１３の光触媒作用により、空気中に含まれる臭い成分が分解され脱臭されるとともに、オゾン発生器１０により生成されるオゾンの酸化作用により臭い成分の分解が促進され早急に脱臭される。脱臭された空気は、残存する未反応オゾンがオゾン分解触媒１４を通過する際に分解されて、空気吹き出し口５から外部に吹出される。
【００１５】
臭いの検出レベルが設定値未満の場合は、該検出レベルに応じてファン１６の風量が「中」又は「弱」となるようにファンモータ１５を駆動するとともに、オゾン発生器１０を停止する。そして、通路切り換え用アクチュエータ１９により、通路切り換え板２０を回動して開口１７を開くとともに、該通路切り換え板２０によりオゾン分解触媒１４を遮蔽して、空気通路８をオゾン分解触媒１４を通る通路から、オゾン分解触媒１４を迂回する迂回路１８を通る通路に切り換える。
【００１６】
この状態で空気吸い込み口４から吸い込まれる空気は、プレフィルタ９により大きな埃が除去され、集塵フィルタ１１により細かい塵埃が除去される。そして、紫外線ランプ１２により紫外線を照射される光触媒フィルタ１３の光触媒作用により、空気中に含まれる臭い成分が分解され脱臭される。脱臭された空気は、迂回路１８を通って空気吹き出し口５から外部に吹出される。
【００１７】
スイッチ２９ａにより、「自動」運転からファン１６の風量「強」運転に切り換えた場合は、臭いセンサ７の検出レベルにかかわらず、オゾン発生器１０を作動させるとともに、通路切り換え用アクチュエータ１９により通路切り換え板２０を回動して開口１７を閉じ、空気通路８をオゾン分解触媒１４を通る通路に切り換える。また、スイッチ２９ｂ又は２９ｃにより、「自動」運転からファン１６の風量「中」又は「弱」運転に切り換えられた場合は、臭いセンサ７の検出レベルにかかわらず、オゾン発生器１０を停止させるとともに、通路切り換え用アクチュエータ１９により、通路切り換え板２０を回動して開口１７を開くとともに、オゾン分解触媒１４を遮蔽して、空気通路８を迂回路１８を通る通路に切り換える。
【００１８】
上記したように「自動」運転状態の脱臭装置１は、臭いセンサ７の臭いの検出レベルが低く、悪臭が強くなくて光触媒作用により臭い成分を分解して脱臭するだけで十分な場合は、オゾン発生器１０を停止させるとともに、空気通路８をオゾン分解触媒１４を通る通路から迂回路１８を通る通路に切り換える。従って、オゾン発生器１０を停止し、オゾン分解触媒１４を不使用とすることにより、それらの寿命を延ばすことができる。また、オゾン発生器１０を停止させる分電気代を節約できる。
【００１９】
また、「自動」運転からファン１６の風量「中」又は「弱」運転に切り換えられた場合は、臭いセンサ７の検出レベルにかかわらず、オゾン発生器１０を停止させるとともに、空気通路８をオゾン分解触媒１４を通る通路から迂回路１８を通る通路に切り換える。従って、上記の場合と同様にオゾン発生器１０及びオゾン分解触媒１４の寿命を延ばすことができるとともに電気代を節約できる。さらに、オゾン分解触媒１４を迂回させることにより空気の圧損が減少し、所定風量を吹き出すために必要なファン１６の回転数を下げることができ、その分低騒音で運転できる。
【図面の簡単な説明】
【図１】脱臭装置の概略を示した断面図である。
【図２】制御系の構成を示したブロック図である。
【図３】脱臭装置の作動を示したタイミングチャートである。
【図４】従来の脱臭装置の概略を示した断面図である。
【符号の説明】
１...脱臭装置
４...空気吸い込み口
５...空気吹き出し口
７...臭いセンサ
８...空気通路
１０...オゾン発生器
１１...集塵フィルタ
１２...紫外線ランプ
１３...光触媒フィルタ
１４...オゾン分解触媒
１６...ファン
１８...迂回路
２０...通路切り換え板
２１...コントローラ
【図１】
0003765263.tif 000002
【図２】
0003765263.tif 000003
【図３】
0003765263.tif 000004
【図４】
0003765263.tif 000005